(57)【要約】【課題】  維持コストを殆ど必要とせず、効率的に屋根の雪の融雪を可能にする屋根用融雪装置を提供することである。【解決手段】  緩勾配の屋根に設けられる屋根用融雪装置であって、屋根板と天井との間に位置し、入口および出口を有する通風路と、通風路の前記入口に配置され、通風路内に空気を送り込むためのファン（１６）と、外気温を検知するための温度センサ（２６ａ）および温度センサから得られる温度に基づいてファンに作動信号を出すコントローラ（２６ｂ）を有する制御ユニットとを備え、外気温が所定温度以上になったときファンを作動させて通風路内に空気を送り込み、これにより屋根板上に位置する雪を融雪するように構成されていることを特徴とする装置が提供される。【選択図】  図１
0003135381.tif 000002
【実用新案登録請求の範囲】
【請求項１】
緩勾配の屋根に設けられる屋根用融雪装置であって、
屋根板と天井との間に位置し、入口および出口を有する通風路と、
前記通風路の前記入口に配置され、前記通風路内に空気を送り込むためのファンと、
外気温を検知するための温度センサおよび前記温度センサから得られる温度に基づいて前記ファンに作動信号を出すコントローラを有する制御ユニットとを備え、
外気温が所定温度以上になったとき前記ファンを作動させて前記通風路内に空気を送り込み、これにより前記屋根板上に位置する雪を融雪するように構成されていることを特徴とする装置。
【請求項２】
前記通風路内に送り込まれる空気が前記屋根板に面した側を移動するように、前記通風路の下部に邪魔板が設けられていることを特徴とする請求項１に記載の装置。
【請求項３】
前記屋根板の緩勾配の先端に位置する軒先に、雪止めカバーが配置されていることを特徴とする請求項１又は２に記載の装置。
【請求項４】
軒先の下端が、斜め下方に傾斜するように曲げ加工されていることを特徴とする請求項３に記載の装置。
【考案の詳細な説明】
【技術分野】
【０００１】
本考案は一般に、融雪装置に関する。より詳細には、本考案は、住宅などの屋根に降り積もった雪を融かす屋根用融雪装置に関する。
【背景技術】
【０００２】
積雪地においては、降り積もった雪を如何に処理するかが重要な課題となっている。とりわけ、家屋の屋根に積もった雪を取り除く作業では、作業時に屋根から滑り落ちる等して、毎年のように事故が生じている。近年、屋根にヒータを組み込み、ヒータによる発熱によって、屋根に積もった雪を融かす試みがなされている。また、屋根を急勾配にすることにより、屋根に降り積もった雪が自然に滑り落ちるような工夫が施された家屋も見受けられる。
【考案の開示】
【考案が解決しようとする課題】
【０００３】
しかしながら、ヒータにより加熱する方式では、冬季間の電気代が高騰するという不都合がある。また、屋根を急勾配にすると、隣家との境界部に雪が落ちるなどの不都合がある。このように、屋根の雪を効率的に処理する有効な手段が見当たらないのが現状である。本考案は、このような状況に鑑みて案出されたものであって、維持コストを殆ど必要とせず、効率的に屋根の雪の融雪を可能にする屋根用融雪装置を提供することを目的としている。
【課題を解決するための手段】
【０００４】
本願請求項１に記載の屋根用融雪装置は、屋根板と天井との間に位置し、入口および出口を有する通風路と、前記通風路の前記入口に配置され、前記通風路内に空気を送り込むためのファンと、外気温を検知するための温度センサおよび前記温度センサから得られる温度に基づいて前記ファンに作動信号を出すコントローラを有する制御ユニットとを備え、外気温が所定温度以上になったとき前記ファンを作動させて前記通風路内に空気を送り込み、これにより前記屋根板上に位置する雪を融雪するように構成されていることを特徴とするものである。
【０００５】
本願請求項２に記載の屋根用融雪装置は、前記請求項１の装置において、前記通風路内に送り込まれる空気が前記屋根板に面した側を移動するように、前記通風路の下部に邪魔板が設けられていることを特徴とするものである。
【０００６】
本願請求項３に記載の屋根用融雪装置は、前記請求項１又は２の装置において、前記屋根板の緩勾配の先端に位置する軒先に、雪止めカバーが配置されていることを特徴とするものである。
【０００７】
本願請求項４に記載の屋根用融雪装置は、前記請求項３の装置において、軒先の下端が、斜め下方に傾斜するように曲げ加工されていることを特徴とするものである。
【考案の効果】
【０００８】
本考案によれば、維持コストを殆ど必要とせずに、屋根に降り積もった雪を効率的に融雪することができる。また、軒先に雪止めカバーを設置し、さらに、軒先の下端が斜め下方に傾斜するように曲げ加工されているので、軒先にツララが発生するのを極力回避することができる。
【考案を実施するための最良の形態】
【０００９】
次に添付図面を参照して、本考案の好ましい実施の形態に係る屋根用融雪装置について詳細に説明する。図１は、本考案の好ましい実施の形態に係る屋根用融雪装置を模式的に示した概略断面図である。本考案の屋根用融雪装置は、屋根裏（換言すると、屋根板１２と天井１４との間に位置する空間）に通風路１０を備えている。なお、通風路１０は、屋根裏にパイプ等を設置する必要は特になく、図１に示されるように、入口１０ａから出口１０ｂに至る一定の空間を屋根裏に設置すれば足りる。
【００１０】
通風路１０の入口１０ａには、通風路１０内に空気を送り込むためのファン１６が配置されている。ファン１６は、普通の型式のものを使用してよい。
【００１１】
本考案の屋根用融雪装置においては、屋根板１２は、伝熱性を考慮して、トタン板のみで構成するのが好ましい。また、屋根板１２に積もった雪が融けた際に、融雪水が流れ易いように、屋根板１２に緩勾配を設けるのが好ましい。好ましくは、屋根板の勾配は、２５／１０００〜４０／１０００程度である（図２（ａ）参照）。
【００１２】
屋根板１２としては、隣接する屋根板の接合箇所が高い位置に設けられる折板構造型式（図２（ｂ）参照）のものが使用される。
【００１３】
通風路１０内に送り込まれる空気が屋根板１２に面した側を移動するように、通風路１０の下部に邪魔板１８を設けるのが好ましい。邪魔板１８を設けることにより、通風路１０内を移動する空気が邪魔板１８によって遮られて上方に移動し、屋根板１２に面した側に沿って通風路１０内を移動するようになる。
【００１４】
屋根板１２上の雪は、通風路１０を通る空気により加温され水になって、軒先を通って地上に流下するが、折板構造型式の屋根板１２を採用しているため、軒先から屋根板１２の谷部に雪が侵入すると、流下する水と雪とが混合して凍結し軒先にツララが発生するおそれがある。そこで、本考案の屋根用融雪装置では、屋根板１２の谷部の軒先に隣接した箇所に、雪止め板２２を取り付けるとともに、屋根板１２の谷部の軒先を覆うように雪止めカバー２０を設置するのが好ましい（図３参照）。雪止め板２２と屋根板１２との間には、図３（ｂ）に示されるように、融雪した水が流下するように隙間が設けられている。なお、参照符号２４は、雪止め板２２を取り付けるための支持材である。このようにして雪止めカバー２０および雪止め板２２を設置することにより、谷部の軒先から雪が侵入することがなくなるので、軒先にツララの発生するおそれを減少させることができる。
【００１５】
好ましくは、軒先の下端１２ａは、斜め下方に傾斜するように曲げ加工されている。これにより、水切りが良好になり、ツララの発生するおそれを更に減少させることができる。
【００１６】
なお、図１に示される例では、通風路１０の入口１０ａおよび出口１０ｂが軒下にそれぞれ設置されているが、通風路１０に連通する管路２５を外壁に沿って設置し、管路２４にファン１６を配置するように構成してもよい（図４参照）。また、室内の暖気を利用すべく、室内と通風路１０（又は、管路２５）との間に、第２ファン１６′を配置してもよい。
【００１７】
本考案の屋根用融雪装置は又、制御ユニット２６を備えている。制御ユニット２６は、外気温を検知するための温度センサ２６ａと、温度センサ２６ａから得られる温度が所定の温度以上になったときファン１６、１６′を作動させるための信号を出すコントローラ２６ｂとを有している。
【００１８】
以上のように構成された本考案の屋根用融雪装置の作動について説明する。まず予め、制御ユニット２６のファン作動温度をｔ0 に設定しておく。外気温がｔ1 からｔ0 に上昇すると、コントローラ２６ｂからの作動信号によりファン１６が作動して、空気が通風路１０内に送り込まれる。通風路１０内に送り込まれた空気は、邪魔板１８に衝突することにより、屋根板１２の方へ反らされ、屋根板１２を効率的に加温する。加温された屋根板１２により、屋根板１２上の雪は融雪して水になり、軒先を通って地上に流下する。一方、屋根板１２上の雪のうち融けなかったものは、雪止め板２２により遮られ、軒下に達することはない。
【００１９】
本考案は、以上の考案の実施の形態に限定されることなく、実用新案登録請求の範囲に記載された考案の範囲内で、種々の変更が可能であり、それらも本考案の範囲内に包含されるものであることはいうまでもない。
【００２０】
なお、通風路１０の入口１０ａは、太陽熱を有効利用することができるように、南側に設けるのが好ましい。
【図面の簡単な説明】
【００２１】
【図１】本考案の好ましい実施の形態に係る屋根用融雪装置を模式的に示した概略断面図である。
【図２】図２（ａ）は屋根の勾配を示した図、図２（ｂ）は折板構造型式の屋根を示した斜視図、図２（ｃ）は図１の線２ｃ−２ｃに沿って見た図である。
【図３】図３（ａ）は屋根の軒先部分を拡大して示した図、図３（ｂ）は図３（ａ）の線３ｂ−３ｂに沿って見た図である。
【図４】本考案の好ましい実施の形態に係る屋根用融雪装置を模式的に示した別の概略断面図である。
【符号の説明】
【００２２】
１０  通風路
１０ａ  入口
１０ｂ  出口
１２  屋根板
１４  天井
１６、１６′  ファン
１８  邪魔板
２０  軒下
２２  雪止め板
２４  支持材
２５  管路
２６  制御ユニット
【図１】
0003135381.tif 000003
【図２】
0003135381.tif 000004
【図３】
0003135381.tif 000005
【図４】
0003135381.tif 000006